【手続補正書】
【提出日】平成20年9月9日(2008.9.9)
【手続補正１】
【補正対象書類名】特許請求の範囲
【補正対象項目名】請求項１４
【補正方法】変更
【補正の内容】
【請求項１４】
前記第１の体組成算出手段は、前記全身のインピーダンスと、前記被験者の身体情報と、前記全身のインピーダンスと前記身体情報と前記全身の体組成との関係を示す所定の第１推定式とに基づいて、前記被験者の前記第１の全身の体組成を算出し、
前記第２の体組成算出手段は、前記二肢のインピーダンスと、前記被験者の前記身体情報と、前記二肢のインピーダンスと前記身体情報と前記全身の体組成との関係を示す所定の第２推定式とに基づいて、前記被験者の前記第２の全身の体組成を算出し、
前記第１の全身の体組成と、前記第１の電位差検出の際に検出された前記第２の電位差に基づく前記第２の全身の体組成との相関関係を算出するための相関関係算出手段と、
前記相関関係を表わす相関関係データを前記相関情報として記憶するための記憶手段とをさらに備える、請求項１３に記載の体組成計。
【手続補正２】
【補正対象書類名】明細書
【補正対象項目名】００５３
【補正方法】変更
【補正の内容】
【００５３】
全身計測モードにて全身の体組成を測定する場合の被験者の測定姿勢は、被験者の両手および両足が、それぞれ、手用電極Ｅ１０および足用電極Ｅ２０に接触された状態である。手−簡易計測モードにて全身の体組成を測定する場合の被験者の測定姿勢は、被験者の両手が手用電極Ｅ１０に接触された状態である。足−簡易計測モードにて全身の体組成を測定する場合の被験者の測定姿勢は、被験者の両足が足用電極Ｅ２０に接触された状態である。
【手続補正３】
【補正対象書類名】明細書
【補正対象項目名】０１０６
【補正方法】変更
【補正の内容】
【０１０６】
図１０を参照して、第３体組成算出部１０６１は、両足間インピーダンスＺｆに基づき、全身の体組成、すなわち体脂肪率（「％ＦＡＴ＿ｆ」と表わす）を算出する（ステップＳ２２２）。より具体的には、両足間インピーダンスＺｆと、被験者の身体情報と、推定式（４）とを用いて、まず全身の除脂肪量（ＦＦＭ＿ｆ）を算出する。その後、式（１）を用いて体脂肪率（％ＦＡＴ＿ｆ）を算出する。なお、ここでも、除脂肪量を算出してから、体脂肪率を算出するものとするが、このような算出方法に限定されるものではない。
【手続補正４】
【補正対象書類名】明細書
【補正対象項目名】０１０９
【補正方法】変更
【補正の内容】
【０１０９】
ステップＳ２２８において、補正値算出部１０６２は、体脂肪率％ＦＡＴ＿ｆと体脂肪率％ＦＡＴ＿ｗとが一致するようなインピーダンスＺｆαを算出する。これにより、ステップＳ２２８で算出されたインピーダンスＺｆαとステップＳ１１２で計測された両足間
インピーダンスＺｆの差が、今回の補正値Ｚｒ＿ｆαとして算出される（ステップＳ２３０）。Ｓ２３０の処理が終わると、ステップＳ２３４に進む。
【手続補正５】
【補正対象書類名】明細書
【補正対象項目名】０１１５
【補正方法】変更
【補正の内容】
【０１１５】
次に、二肢インピーダンス計測部１０２は、両手間インピーダンスＺｈを計測する（ステップＳ３０６）。続いて、制御部１２は、メモリ１４から、同じ時間帯の直前（直近）の相関情報である補正値Ｚｒ＿ｈを読み出す（ステップＳ３０８）。続いて、第１の体組成算出処理が実行される（ステップＳ３１０）。ここで、ステップＳ３１０の第１体組成算出処理の具体的な処理について、図１２を用いて説明する。
【手続補正６】
【補正対象書類名】明細書
【補正対象項目名】０１２２
【補正方法】変更
【補正の内容】
【０１２２】
次に、二肢インピーダンス計測部１０２は、両足間インピーダンスＺｆを計測する（ステップＳ５０６）。続いて、制御部１２は、メモリ１４から、同じ時間帯の直前の相関情報である補正値Ｚｒ＿ｆを読み出す（ステップＳ５０８）。続いて、第２の体組成算出処理が実行される（ステップＳ５１０）。ここで、ステップＳ５１０の第２体組成算出処理の具体的な処理について、図１４を用いて説明する。
【手続補正７】
【補正対象書類名】明細書
【補正対象項目名】０１６０
【補正方法】変更
【補正の内容】
【０１６０】
実施の形態２において、以上のような第１および第２の相関情報設定処理が行なわれることで、図８のステップＳ１１８においては、相関係数ａｈ，ｂｈが相関情報Ｒｗｈとして、相関係数ａｆ，ｂｆが相関情報Ｒｗｆとして記憶される。また、ステップＳ１０８で算出された体脂肪率％ＦＡＴ＿ｗが体脂肪率データＦとして格納される。さらに、ステップＳ１０８，Ｓ７０２，Ｓ７２２で算出された除脂肪量ＦＦＭ＿ｗ，ＦＦＭ＿ｈ，ＦＦＭ＿ｆが、それぞれ、除脂肪量データＦｗ，Ｆｈ，Ｆｆとして格納される。
【手続補正８】
【補正対象書類名】明細書
【補正対象項目名】０１８５
【補正方法】変更
【補正の内容】
【０１８５】
データＩｗは、計測モードデータＭが「０」（全身計測モード）の場合に、全身インピーダンス計測部１０１により計測される全身インピーダンスＺｗを示すデータである。データＩｈは、計測モードデータＭが「０」（全身計測モード）の場合に、二肢インピーダンス計測部１０２により計測される両手間インピーダンスＺｈを示すデータである。データＩｆは、計測モードデータＭが「０」（全身計測モード）の場合に、二肢インピーダンス計測部１０２により計測される両足間インピーダンスＺｆを示すデータである。
【手続補正９】
【補正対象書類名】明細書
【補正対象項目名】０１９０
【補正方法】変更
【補正の内容】
【０１９０】
続いて、相関関係算出部３０６は、ステップＳ１０６およびＳ１１０でそれぞれ計測された全身インピーダンスＺｗおよび両手間インピーダンスＺｈと、ステップＳ８０４で読み出された全身インピーダンスＺｗおよびインピーダンスＺｈとに基づいて、以下の相関式を満たすような相関係数ｃｈ，ｄｈを算出する（Ｓ８０６）。
【手続補正１０】
【補正対象書類名】明細書
【補正対象項目名】０１９４
【補正方法】変更
【補正の内容】
【０１９４】
ステップＳ８２４において、相関関係算出部３０６は、メモリ１４より、同じ時間帯における全身インピーダンスＺｗのデータＩｗおよび両足間インピーダンスＺｆのデータＩｆを全て読み出す。
【手続補正１１】
【補正対象書類名】明細書
【補正対象項目名】０１９５
【補正方法】変更
【補正の内容】
【０１９５】
続いて、相関関係算出部３０６は、ステップＳ１０６およびＳ１１２でそれぞれ計測された全身インピーダンスＺｗおよび両足間インピーダンスＺｆと、ステップＳ８２４で読み出された全身インピーダンスＺｗおよびインピーダンスＺｆとに基づいて、以下の相関式を満たすような相関係数ｃｆ，ｄｆを算出する（Ｓ８２６）。
【手続補正１２】
【補正対象書類名】明細書
【補正対象項目名】０１９７
【補正方法】変更
【補正の内容】
【０１９７】
実施の形態３において、以上のような第１および第２の相関情報設定処理が行なわれることで、ステップＳ１１８においては、相関係数ｃｈ，ｄｈが相関情報Ｒｗｈとして、相関係数ｃｆ，ｄｆが相関情報Ｒｗｆとして記憶される。また、ステップＳ１０８で算出された体脂肪率％ＦＡＴ＿ｗが体脂肪率データＦとして格納される。さらに、ステップＳ１０６，Ｓ１１０，Ｓ１１２で算出されたインピーダンスＺｗ，Ｚｈ，Ｚｆが、それぞれ、データＩｗ，Ｉｈ，Ｉｆとして格納される。
【手続補正１３】
【補正対象書類名】明細書
【補正対象項目名】０２０４
【補正方法】変更
【補正の内容】
【０２０４】
Ｚｆ´＝ｃｆ ＊ Ｚｆ ＋ ｄｆ
次に、第２体組成算出部１０５は、補正後のインピーダンスＺｆ´に基づき、全身の体組成（％ＦＡＴ＿ｆ）を算出する（ステップＳ６４４）。より具体的には、補正後のインピーダンスＺｆ´と、被験者の身体情報と、上記式（１）および（２）とに基づいて（推定式（２）の“Ｚｗ”に“Ｚｆ´”の値を代入）、体脂肪率が算出される。
【手続補正１４】
【補正対象書類名】明細書
【補正対象項目名】０２１３
【補正方法】変更
【補正の内容】
【０２１３】
【図１】本発明の実施の形態１〜３における体組成計の外観の一例を示す図である。
【図２】本発明の実施の形態１〜３における体組成計のハードウェア構成を示すブロック図である。
【図３】本発明の実施の形態１における体組成計の機能ブロック図である。
【図４】本発明の実施の形態１の体組成計におけるメモリのデータ構造の一例を示す図である。
【図５】本発明の実施の形態１〜３における体組成計の制御部が実行する体組成測定処理を示すフローチャートである。
【図６】本発明の実施の形態１〜３におけるモード判別処理を示すフローチャートである。
【図７】本発明の実施の形態１〜３におけるモード判別処理の他の例を示すフローチャートである。
【図８】本発明の実施の形態１〜３における全身測定処理を示すフローチャートである。
【図９】本発明の実施の形態１における第１の設定処理を示すフローチャートである。
【図１０】本発明の実施の形態１における第２の設定処理を示すフローチャートである。
【図１１】本発明の実施の形態１〜３における手測定処理を示すフローチャートである。
【図１２】本発明の実施の形態１における第１体組成算出処理を示すフローチャートである。
【図１３】本発明の実施の形態１〜３における足測定処理を示すフローチャートである。
【図１４】本発明の実施の形態１における第２体組成算出処理を示すフローチャートである。
【図１５】本発明の実施の形態２における体組成計の機能ブロック図である。
【図１６】本発明の実施の形態２の体組成計におけるメモリのデータ構造の一例を示す図である。
【図１７】本発明の実施の形態２における第１の設定処理を示すフローチャートである。
【図１８】本発明の実施の形態２における第２の設定処理を示すフローチャートである。
【図１９】本発明の実施の形態２における第１体組成算出処理を示すフローチャートである。
【図２０】本発明の実施の形態２における第２体組成算出処理を示すフローチャートである。
【図２１】本発明の実施の形態３における体組成計の機能ブロック図である。
【図２２】本発明の実施の形態３の体組成計におけるメモリのデータ構造の一例を示す図である。
【図２３】本発明の実施の形態３における第１の設定処理を示すフローチャートである。
【図２４】本発明の実施の形態３における第２の設定処理を示すフローチャートである。
【図２５】本発明の実施の形態３における第１体組成算出処理を示すフローチャートである。
【図２６】本発明の実施の形態３における第２体組成算出処理を示すフローチャートである。